(57)【特許請求の範囲】
【請求項１】
水平またはほぼ水平な記述面部へのインクペン等による記述と消去が可能な水平型投影装置において、
前記記述面部よりも外周側に外周面部を備え、
前記記述面部の外周縁の少なくとも一部または該一部に沿って凹状の溝部を設け、
前記記述面部と前記外周面部の頂面と前記溝部の上端を同一の高さとしてある
ことを特徴とする水平型投影装置。
【請求項２】
請求項１の水平型投影装置において、
前記外周面部を、前記記述面部または該記述面部を含む台と分離装着可能としてなる
ことを特徴とする水平型投影装置。
【請求項３】
請求項２の水平型投影装置において、
前記分離装着可能な外周面部と、前記記述面部または該記述面部を含む台と締結固定してなる
ことを特徴とする水平型投影装置。
【請求項４】
請求項２の水平型投影装置において、
前記外周面部を、前記記述面部または該記述面部を含む台の上方から着脱可能としてなる
ことを特徴とする水平型投影装置。
【請求項５】
水平またはほぼ水平な記述面部へのインクペン等による記述と消去が可能な水平型投影装置において、
前記記述面部よりも外周側に外周面部を備え、
前記記述面部の外周縁の少なくとも一部または該一部に沿って凹状の溝部を設けるとともに、
前記記述面部と前記外周面部との頂面の間に上下方向で段差があり、
前記記述面部の頂面が前記外周面部の頂面より上下方向で下にある
ことを特徴とする水平型投影装置。
【請求項６】
請求項５の水平型投影装置において、
前記外周面部を、前記記述面部または該記述面部を含む台と分離装着可能としてなる
ことを特徴とする水平型投影装置。
【請求項７】
請求項６の水平型投影装置において、
前記分離装着可能な外周面部と、前記記述面部または該記述面部を含む台と締結固定してなる
ことを特徴とする水平型投影装置。
【請求項８】
請求項７または８の水平型投影装置において、
前記外周面部を前記記述面部または該記述面部を含む台の上方から着脱可能としてなる
ことを特徴とする水平型投影装置。
【発明の詳細な説明】
【技術分野】
【０００１】
本発明は、水平型ホワイトボードや水平型電子黒板等と称される装置であって、インクペンでの追記を撮影記録することができるようになっている水平型投影装置に関する。
【背景技術】
【０００２】
台上に設けた表示画面に、マーカ等を用いて文字や図形などを描画でき、描画したものを撮影用カメラ等で撮像し、パソコン等の記録媒体に記録することができるようにした水平投影装置が提案されている（例えば特許文献１）。
【０００３】
図１及び図２は、そのような装置の一例の概略図であり、図１は概略斜視図、図２は概略断面図である。図１に示すように、この水平型投影装置は、装置本体１がデスク状の外形状を有し、上面に矩形の枠部２を有し、この矩形の枠部２の中央部分に、ディスプレイ部３を水平あるいはほぼ水平に備え、装置本体１内のプロジェクタ４から投影された画像を表示され得るように構成してある。もちろん、装置本体１外からディスプレイ部３に画像を投影する例も考えられる。
【０００４】
この装置本体１は、図２に示すように、中央部分にディスプレイ部３を嵌め込んだ枠部２と、枠部２を下側から支える筐体５と、筐体５内に設けた前述のプロジェクタ４や、ディスプレイ部３の裏面側全体が視野角内に入るように配置してディスプレイ部３を裏面側から撮影可能としたＣＣＤカメラ６を備えている。そして、それぞれ図示しないが、ＣＣＤカメラ６は図示しないパーソナルコンピュータ（キーボードやマウス等の周辺機器も含むことがある）と接続し、プロジェクタ４とも光学的に接続している。
【０００５】
なおディスプレイ部３は、表面側には水性ペンやホワイトボード用マーカなどを用いて描画可能な書き込み面が設けてある。この書き込み面は、一般的にはガラスから構成するので、以下では水平ガラス面７という。またこの種の装置では、パーソナルコンピュータを筐体５内に備える場合や、装置とは別の場所に配置して、外部で操作出来るようにするものもあるが、これも図示を省略する。
【０００６】
このような水平型投影装置では、
（１）画像表示のみ
（２）画像表示とペンによる記述
（３）ペンによる記述と記述内容の撮影
（４）画像表示に対して行ったペン記述を撮影して画像を重ねて保存
（５）テーブルとしての使用だけ
のような使用形態が考えられるが、水平ガラス面７は、画像表示とペン記述の少なくとも一方には使用されるし、単にテーブルとして使用する場合でも装置本体１とともに使用される。
【特許文献１】特開２００５−１６５８６４号公報
【発明の開示】
【発明が解決しようとする課題】
【０００７】
ところで、例えば公知の垂直型電子黒板の場合、汚れ受けトレイを記述面の下方に配置して、ペン記述の消しカスが落下して床面を汚すことを防ぐようにしている。一方、上述のようにインクペン追記を撮影記録する水平型投影装置の場合、図１、図２の装置のように、キーボード操作や書類置きなどに使うためのテーブル面を、表示兼記述面であるディスプレイ部３や水平ガラス面７の外側に備えることがあるため、ペン記述の消しカスでテーブル面を汚してしまう不具合を生じやすい。
【０００８】
なお、ディスプレイ部３や水平ガラス面７の外側にテーブル面を備えない場合は、ペン記述の消しカスが直接床面に落下して床面を汚してしまうことがあることは言うまでもない。
【０００９】
そこで本発明は、水平ガラス面へのインクペン記述に起因する、テーブル面や床面のペン記述の消しカスによる汚れの発生を防止できるようにした水平型投影装置を提供することを目的とする。
【課題を解決するための手段】
【００１０】
請求項１に係る本発明の水平型投影装置は、水平またはほぼ水平な記述面部へのインクペン等による記述と消去が可能な水平型投影装置において、前記記述面部よりも外周側に外周面部を備え、前記記述面部の外周縁の少なくとも一部または該一部に沿って凹状の溝部を設け、前記記述面部と前記外周面部の頂面と前記溝部の上端を同一の高さとしてあることを特徴とする。
【００１１】
請求項２に係る本発明の水平型投影装置は、請求項１の水平型投影装置において、前記外周面部を、前記記述面部または該記述面部を含む台と分離装着可能としてなることを特徴とする。
【００１２】
請求項３に係る本発明の水平型投影装置は、請求項２の水平型投影装置において、前記分離装着可能な外周面部と、前記記述面部または該記述面部を含む台と締結固定してなることを特徴とする。
【００１３】
請求項４に係る本発明の水平型投影装置は、請求項２の水平型投影装置において、前記外周面部を、前記記述面部または該記述面部を含む台の上方から着脱可能としてなることを特徴とする。
【００１４】
請求項５に係る本発明の水平型投影装置は、水平またはほぼ水平な記述面部へのインクペン等による記述と消去が可能な水平型投影装置において、前記記述面部よりも外周側に外周面部を備え、前記記述面部の外周縁の少なくとも一部または該一部に沿って凹状の溝部を設けるとともに、前記記述面部と前記外周面部との頂面の間に上下方向で段差があり、前記記述面部の頂面が前記外周面部の頂面より上下方向で下にあることを特徴とする。
【００１５】
請求項６に係る本発明の水平型投影装置は、請求項５の水平型投影装置において、前記外周面部を、前記記述面部または該記述面部を含む台と分離装着可能としてなることを特徴とする。
【００１６】
請求項７に係る本発明の水平型投影装置は、請求項６の水平型投影装置において、前記分離装着可能な外周面部と、前記記述面部または該記述面部を含む台と締結固定してなることを特徴とする。
【００１７】
請求項８に係る本発明の水平型投影装置は、請求項７または８の水平型投影装置において、前記外周面部を前記記述面部または該記述面部を含む台の上方から着脱可能としてなることを特徴とする。
【発明の効果】
【００２２】
本発明の水平型投影装置においては、記述面部へのインクペン等による記述を消去した際の消しカス汚れ等を床に落とさず受け取ることができ、設置場所を汚さずに済む。
【発明を実施するための最良の形態】
【００２３】
以下本発明を実施するための最良の形態を、図に示す実施例を参照して説明する。
【実施例１】
【００２４】
図３は本発明の実施対象の一例である水平型投影装置の概略構成を示す斜視図（Ａ）と、この装置で使用可能なリモコン型の操作パネルを示す平面図（Ｂ）であり、図４は、図３の分解斜視図である。図示のように、この実施例の水平型投影装置は、装置本体１０が台形状の側面（狭い辺の方を下方に向けている）を有し、上面の中央部分にディスプレイ部１１を水平あるいはほぼ水平に備え、装置本体１０内の図示しないプロジェクタ等から投影された画像を表示し得るように構成してある。もちろん従来の例と同様に、装置本体１０外からディスプレイ部１１に画像を投影する例も考えられる。
【００２５】
この水平型投影装置の装置本体１の上面には、中央部分のディスプレイ部１１の四周に段部１２が設けてあり、この段部１２が枠状のテーブル部１３を装着し、かつその枠部１４内にディスプレイ部１１を嵌着する構造となっている。またテーブル部１３の枠部１４の四周は、図示のように一段下がった段付き部１５としてあり、その四隅でテーブル部１３を装置本体１の段部１２にボルト１６やネジで容易に着脱可能に固定可能としてある。図中１７はボルト穴である。もちろん、マジックテープ（登録商標）等を利用する構成も可能であるが、ねじ、ボルト、ナット、線材などの締結具を利用する構成は、締結力の高さの点で好ましい。また図中１３ａはワイヤレス型キーボードや同マウスを収納するための部位である。
【００２６】
さらにテーブル部１３の段付き部１５には、枠部１４の四辺に対応させて分割した形状、構造としたペントレイ１８を装着し、ボルト１６やボルト穴、ネジ等を隠すことができるようになっている。このペントレイ１８の構造等については後述するが、図示の実施例では一段くぼむ受け形状が全周で連続する構成となっており、任意方向で記述内容を消しても、消しカスを手近のペントレイ１８内へ落とし込んで拡散させないようにすることができる点で好ましい。
【００２７】
図中１９は、リモコン型の操作パネルであるが、図１（Ａ）に示すように、ペントレイ１８の溝部２０内に置くことが可能な幅寸法と深さ寸法とを有するものとしてある。なおリモコン型の操作パネル１９は、ディスプレイ部１１の上面を構成するガラスやポリエチレン、ポリプロピレン等の合成樹脂の表面材（図２の例の水平ガラス面７に相当するが、本実施例では詳細な図示を省略する。）に水性ペンやホワイトボード用マーカなどを用いて記述されたものを掃除しやすいシートキーによるものであるが、その構造は周知のものであって良いので、詳細な説明は省略する。もちろん、ディスプレイ部１１の上面に既述されたものを消すには、単なる布や、黒板消し状のもの等々種々のものを採用して良いが、図示のようなものとすれば、コードが邪魔にならないリモコン型の操作パネルでありながら、ペントレイ１８の溝部２０内のどこにでも置くことができ、またペントレイ１８の溝部２０内に置いたままでも使用することができるという利点がある。
【００２８】
なお、本発明においては平面形状は図示の実施例のような略矩形のものだけでなく、円形のものその他種々の変形形状のものであってよく、図示の例のものには限定されない。また図示の実施例ではディスプレイ部１１の全周にテーブル部１３が存在しているが、本発明はこのような配置携帯には限定されず、例えばディスプレイ部１１の対向する二つの縁の部分だけテーブル部が存在するといった形態も採用可能であり、さらにはディスプレイ部１１の一縁部分にだけ存在するようなものであっても構成可能である。
【００２９】
次に記述面であるディスプレイ部１１の表面と、ペントレイ１８を構成する溝部２０との位置関係、関連構造等についての例を概念的にではあるが説明する。
【００３０】
図５（Ａ）は、図３、図４に示した実施例のディスプレイ部１１の表面（以下、記述面Ｘという）と、テーブル部１３の表面（以下、外周面Ｙという。）の関係を示す。これに対し、図５（Ｂ）では、記述面Ｘと外周面Ｙとの間に若干の高低差を設けた例で、記述面Ｘのほうを低くしてある。図５（Ｃ）に示すように、記述面Ｘよりも外周面Ｙの方を低くする構成も可能であるが、記述面Ｘと外周面Ｙが同一高さの構成は、大きな図面を広げるなどテーブルとして活用しやすい点で好ましく、記述面Ｘより外周面Ｙが高い構成は、消しカスが記述面Ｘ上で拡散しにくい点で好ましい。もちろん記述面Ｘが外周面Ｙより高くても、ペントレイ１８を構成する溝部２０の幅寸法との関係などで、消しかすの収集を効率よく行えるようにすることは可能である。
【００３１】
図６（Ａ）は、図３、図４に示した実施例のペントレイ１８の着脱性について示す図であるが、図６（Ｂ）に示すように、ペントレイ１８の構成部材の内外周に高さの差を設け、外周面Ｙ上に乗るような縁部分１８ａを設けても良い。縁部分１８ａを設けた場合、分離着脱方向と直交する方向にくさび状の部材を挿入して分離させ得る構成となるので、操作が簡素に行えて好ましい。また図６（Ｃ）に示すように、ペントレイ１８の全体がテーブル部１３に対して着脱可能でなく、一部（図中符号１８ｂで示す。）のみが着脱できるようにしてもよい。
【００３２】
なお、いずれの例にしても、テーブル部１３に対して着脱することになるので、ペントレイ１８の底部側を僅かに絞ったテーパー状の断面形状とし、いわゆる抜き勾配を設けることが装着をやりやすくする点から好ましい。テーパー状の断面形状とすることにより、単に嵌着するだけで装着できる構造とすることも可能となる。そうすると、取り付けだけでなく、取り外しも容易になり、掃除などがしやすくなる。
【００３３】
図７（Ａ）は、図３、図４に示した実施例の装置本体１０とテーブル部１３の着脱構造について示す図であり、装置本体１上面の段部１２において下方に向けて締結し、ペントレイ１８を装着し、ペントレイ１８を取り外せばテーブル部１３を上方へ向けて取り外せるようにしてあるが、図７（Ｂ）に示すように、装置本体１０のディスプレイ部１１からは相当に離れた部位１０ａにおいてテーブル部１３を締結し、着脱する構造としても良い。
【００３４】
なお汚れ受けを構成するペントレイ１８を図８に示すように分割構造とすることも可能である。この場合、一側の部分１８ｃに段部１８ｄを設ける構成とすればよい。もちろん、その他の分割構造も採用可能である。このような構造の場合、分割部から床面や装置内への消しカスの落下を防ぎやすい。分割部分の端部の少なくとも一方に、スポンジなどの弾性体を設ける構成も考え得るが、いずれにしても端部同士を上下に重ね合わせる構成は、着脱操作が簡素な点だけでなく、カスの落下防止の点からも好ましい。
【００３５】
さらに、ペントレイ１８の上面から見た４隅や断面底部に曲面を形成しない構成でもよいが、４隅または断面底部に曲面を付ける構成は、消しカスの拭き取りやすさの点で好ましい。４隅と断面底部双方に曲面を形成する構成は、消しカスの拭き取りやすさの点でさらに好ましい。
【００３６】
すなわち本発明は、消しカス汚れを床に落とさず受け取ることができ、また消しカス汚れを外側のテーブル面に拡散させず受け取ることができ、ペンで記述しない場合には大きな図面などを広げるテーブルとしても活用することができ、さらには、拭いた消しカスを汚れ受けトレイにためやすく、たまった消しカスをゴミ箱などに捨てやすく、消しカスがテーブル面に拡散しにくい。しかも、リモコンやペンなどを置きやすく、消しカスをためる部分と分けて使うことも可能なので汚れにくい状態で使用できる。
【００３７】
さらに本実施例では、図４に示すように、組み立てや分解がしやすいので、運搬時は分解してドアや階段など狭い空間を通過しやすく、搬入、撤去が容易にできる。また、サイズを変更したものを組合せ易く、製造しやすいという利点がある。そして、見た目が美しく、品質感があり、消しカスの汚れを防ぐことが可能な製品とすることができる。
【００３８】
またペントレイ１８の底部を波状に形成すると、消しカスやゴミなどが再付着しにくくなる。
【図面の簡単な説明】
【００３９】
【図１】従来の水平型投影装置装置の一例の概略斜視図
【図２】図２は概略断面図
【図３】本発明の実施対象の一例である水平型投影装置の概略構成を示す斜視図（Ａ）と、この装置で使用可能なリモコン型の操作パネルを示す平面図（Ｂ）
【図４】図３の分解斜視図
【図５】図３、図４に示した実施例のディスプレイ部の表面と、テーブル部の表面の関係を示す図（Ａ）、と記述面と外周面との間に若干の高低差を設けた例を示す図（Ｂ）
【図６】図３、図４に示した実施例のペントレイの着脱性について示す図
【図７】図３、図４に示した実施例の装置本体とテーブル部の着脱構造について示す図
【図８】分割構造としたペントレイを示す図
【符号の説明】
【００４０】
１０  装置本体
１１  ディスプレイ部
１２  段部
１３  テーブル部
１４  枠部
１５  段付き部
１６  ボルト
１７  ボルト穴
１８  ペントレイ
１８ａ  ペントレイの縁部分
１８ｂ  ペントレイの着脱可能な一部
１８ｃ  分割したペントレイの一側の部分
１８ｄ  同段部
１９  リモコン型の操作パネル
２０  ペントレイの溝部
Ｘ  記述面
Ｙ  外周面
【図１】
0004778800.tif 000002
【図２】
0004778800.tif 000003
【図３】
0004778800.tif 000004
【図４】
0004778800.tif 000005
【図５】
0004778800.tif 000006
【図６】
0004778800.tif 000007
【図７】
0004778800.tif 000008
【図８】
0004778800.tif 000009